【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
薬剤分配カートにおいて、
薬剤分配カートが施設内で移動することを可能にするホイールを有する基部と、
ユーザからの入力を受信するように構成されたコンピューティングデバイスと、
前記ユーザに情報を表示するための、前記コンピューティングデバイスに通信可能に結合されたディスプレイデバイスと、
前記ディスプレイデバイスを前記基部に結合するポストであって、内側ポスト部材を摺動式に受取る外側ポスト部材を備え、前記外側ポスト部材は電気バックプレーンを備え、前記電気バックプレーンはその長手方向に沿って配置された複数の通信ポートを有し、前記通信ポートのそれぞれは前記コンピューティングデバイスに通信可能に結合している、ポストと、
医療品が格納される少なくとも１つのビンをぞれぞれが有する複数のカセットまたは引出しとを備え、前記複数のカセットまたは引出しのそれぞれは、各カセットまたは引出しを前記コンピューティングデバイスに通信可能に結合すべく、前記外側ポスト部材の対応する通信ポート内に挿入することができるコネクタを有している、薬剤分配カート。
【請求項２】
前記複数のカセットの１つまたは複数は、前記カセットのビンの場所を表示するため照明するように構成されたガイド光を備える請求項１に記載の薬剤分配カート。
【請求項３】
起動されると、前記ディスプレイデバイスをスタンドバイモードにセットするスタンドバイボタンをさらに備え、情報は、前記スタンドバイモードで前記ディスプレイデバイス上に表示されない請求項１に記載の薬剤分配カート。
【請求項４】
前記ディスプレイデバイスが前記スタンドバイモードにあるときに第１のディスプレイを、前記ディスプレイデバイスが前記スタンドバイモードにないときに第２のディスプレイを表示するように構成されたスタンドバイインジケータをさらに備える請求項３に記載の薬剤分配カート。
【請求項５】
電力システムコントローラおよび少なくとも１つの電池をさらに備え、前記電力システムコントローラは、薬剤分配カートの運用ニーズまたは前記電池の状態に基づいて、薬剤分配カートの電力使用を調整するか、前記電池の電力放電設定を調整するように構成され
る請求項１に記載の薬剤分配カート。
【請求項６】
薬剤分配カートに電力を提供する２つの電池をさらに備え、前記電池の一方は、薬剤分配カートに提供される電力に悪い影響を及ぼすことなく、薬剤分配カートから取外し可能である請求項５に記載の薬剤分配カート。
【請求項７】
前記電池が挿入されるハウジングをさらに備え、前記ハウジングは、前記ハウジング内に前記電池をロックするラッチ機構を備える請求項５に記載の薬剤分配カート。
【請求項８】
前記少なくとも１つの電池は、ホットスワップ可能なスマート電池を備え、前記電力システムコントローラは、前記電力システムコントローラを前記スマート電池に通信可能に結合するインタフェースポートを備える請求項５に記載の薬剤分配カート。
【請求項９】
前記スマート電池は、前記電池の残留容量の読みを生成するゲージを備える請求項８に記載の薬剤分配カート。
【請求項１０】
薬剤分配カートの電源喪失中に１つまたは複数のビンへのアクセスを可能にするか、または、薬剤分配カートの電源喪失後に、１つまたは複数のビンへの無許可アクセスが起こるときを決定するように構成されたバックアップ電池をさらに備える請求項５に記載の薬剤分配カート。
【請求項１１】
前記カセットは、前記外側ポスト部材に結合されて、カセットスタックを形成し、前記カセットスタックは、大きなカセットと小さなカセットの組合せを備える請求項１に記載の薬剤分配カート。
【請求項１２】
前記大きなカセットは、高さが約１０１．６ｍｍ（４インチ）と約２０３．２ｍｍ（８インチ）との間の範囲にあるビンを備え、前記小さなカセットは、高さが約５０．８ｍｍ（２インチ）と約１０１．６ｍｍ（４インチ）との間の範囲にあるビンを備える請求項１１に記載の薬剤分配カート。
【請求項１３】
前記コンピューティングデバイスは、前記複数のカセットが前記外側ポスト部材に結合されると、前記複数のカセットのカセット構成を決定するように構成される請求項１に記載の薬剤分配カート。
【請求項１４】
前記ディスプレイデバイスは、タッチスクリーンに結合した放電要素を備え、前記放電要素は、薬剤分配カートまたは前記タッチスクリーンのユーザによって生成される正電荷を消散させるように構成される請求項１に記載の薬剤分配カート。
【請求項１５】
中央管理者システムと無線でネットワーク化された複数の薬剤分配カートの１つの薬剤分配カートである請求項１に記載の薬剤分配カート。
【請求項１６】
前記複数のカセットの少なくとも１つは、薬剤分配カートに取外し不能に結合される請求項１に記載の薬剤分配カート。
【請求項１７】
薬剤分配カートを組み立てるための方法において、
薬剤分配カートであって、
カセットシステムコントローラと、
基部と、
ユーザに情報を表示するディスプレイデバイスと、
前記ディスプレイデバイスを前記基部に結合するポストであって、前記ポストは電気
バックプレーンを備え、前記電気バックプレーンはその長手方向に沿って配置された複数の通信ポートを有し、前記通信ポートのそれぞれは前記カセットシステムコントローラに通信可能に結合している、ポストとを
備える薬剤分配カートを設ける工程と、
複数のカセットであって、上部面と、底面と、前記上部面および底面の間に延びる２つの面と、前記上部面および底面の少なくとも一部を貫通する垂直方向の溝を画成する中空を備えるように形成される背面とを備え、前記複数のカセットのそれぞれが医療品と、プラグまたはコネクタとを格納するように構成された少なくとも１つのビンを有する複数のカセットを設ける工程と、
それぞれの前記カセットの前記中空の内部に前記ポストを配置することによって前記複数のカセットのそれぞれを前記ポストに結合することにより、前記ポストが前記垂直方向の溝を貫通して垂直方向に延び、かつ、前記ポストの少なくとも一部が前記それぞれのカセットの背面に相対して窪んで配置する、前記複数のカセットのそれぞれを前記ポストに結合する工程と
前記カセットの前記プラグまたはコネクタを前記バックプレーンの対応する通信ポートに挿入することによって、それぞれの前記カセットを前記カセットシステムコントローラに通信可能に結合する工程と
を備える、方法。
【請求項１８】
前記複数のカセットは、前記複数のカセットがカセットスタックを形成するように前記ポストに結合される請求項１７に記載の方法。
【請求項１９】
前記カセットシステムコントローラによって、前記カセットシステムコントローラに通信可能に結合された少なくとも１つのカセットのタイプを識別する工程をさらに含む請求項１７に記載の方法。
【請求項２０】
前記カセットシステムコントローラによって、カセットスタックの構成を識別する工程をさらに含む請求項１７に記載の方法。
【請求項２１】
前記少なくとも１つのカセットのタイプの識別に基づいて、前記少なくとも１つのカセットに関して運用するよう前記カセットシステムコントローラを構成する工程をさらに含む請求項１９に記載の方法。
【請求項２２】
前記少なくとも１つのカセットのタイプを識別する工程は、
複数の異なるサイズのカセットの中から前記カセットのサイズを決定する工程と、
前記カセットが患者固有のビンを備えると判定する工程と、
前記カセットがユーティリティ固有のビンを備えると判定する工程と
からなる群から選択される前記の１つまたは複数を識別する工程を含んでなる、請求項１９に記載の方法。
【請求項２３】
前記カセットスタックの構成を識別する工程は、前記カセットスタック内で異なるサイズのカセットの配置構成を決定する工程を含むか、または、患者と、特に前記患者のための医療品を格納するように指定されたカセットとの間の関連付けを決定する工程を含む、請求項２０に記載の方法。